(57)【要約】本発明は、毛剃り装置における毛剃りシステムのための網刃（２）に向けられたものである。その毛剃り装置においては、網刃（２）が、その網刃（２）に対して相対的に駆動されるように適合された内刃（４）と協働する。この網刃（２）は、複数の毛受入開口（３０〜３３）を備えた穿孔領域を含んでいる。それらの開口は、ペンローズの寄せ木によって達成される準周期的図形を形成している。
2004537386.tif 000002
【特許請求の範囲】
【請求項１】
互いに相対的に駆動され得る少なくとも１つの網刃および協働する内刃を有した毛剃り装置における毛剃りシステムのための網刃であって、複数の毛受入開口を備える少なくとも１つの穿孔領域を含んだ毛剃り用網刃において、
前記穿孔領域は、ペンローズの寄せ木によって達成される準周期的図形を形成している、ことを特徴とする毛剃り用網刃。
【請求項２】
前記穿孔領域は、少なくとも２つの異なる表面セクション要素を用いた完全寄せ木によって形成され、前記表面セクション要素には少なくとも１つの開口が備えられている、ことを特徴とする請求項１記載の毛剃り用網刃。
【請求項３】
前記穿孔領域は、少なくとも２つの異なる表面セクション群を用いた完全寄せ木によって形成され、各セクション群には少なくとも１つの開口が備えられ、各セクション群は少なくとも２つの表面セクション要素を備えている、ことを特徴とする請求項１記載の毛剃り用網刃。
【請求項４】
前記表面セクション要素は菱形に形成されている、ことを特徴とする請求項２又は３記載の毛剃り用網刃。
【請求項５】
前記菱形の鋭角は３６度および／または７２度である、ことを特徴とする請求項４記載の毛剃り用網刃。
【請求項６】
前記表面セクション要素は互いに縁の長さが等しい、ことを特徴とする請求項２乃至６のいずれかに記載の毛剃り用網刃。
【請求項７】
前記開口は互いに異なる幾何学形状を有する、ことを特徴とする請求項１乃至６のいずれかに記載の毛剃り用網刃。
【請求項８】
前記内刃は振動式に駆動される、ことを特徴とする請求項１乃至７のいずれかに記載の毛剃り用網刃。
【請求項９】
前記内刃は回転式に駆動される、ことを特徴とする前記請求項のいずれかに記載の毛剃り用網刃。
【請求項１０】
前記内刃は直線運動という意味において駆動される、ことを特徴とする前記請求項のいずれかに記載の毛剃り用網刃。
【発明の詳細な説明】
【技術分野】
【０００１】
本発明は、互いに相対的に駆動され得る少なくとも１つの網刃（外刃）および協働する内刃を有した毛剃り装置における毛剃りシステムのための網刃であって、複数の毛受入開口を備える少なくとも１つの穿孔領域を含んだ毛剃り用網刃に関する。
【背景技術】
【０００２】
既に知られた毛剃り用網刃は通常、開口断面が六角形のハニカム状の幾何学形状を有するような、周期的に繰り返す開口パターンを備えている。網刃表面の完全寄せ木（complete parqueting）は、このような形式のハニカム構造を用いて容易に達成される。それと同時に、非常に好適な開口面積に対する格子（バー）面積の比率を得ることもできる。ハニカム形の開口構造を用いた網刃は、実際に長年に渡って首尾良く改良されてきており、皮膚に対して非常に優しい一方で、特に徹底的な毛剃りを可能としている。
【発明の開示】
【発明が解決しようとする課題】
【０００３】
本発明の目的は、毛剃りの徹底性および皮膚の優しい扱いに関しては既に最高の品質水準にある既に知られた毛剃り用網刃を超えるような、従来技術に基づく毛剃り用網刃を提供することである。
【０００４】
毛剃り用網刃のための開口パターンをデザインする際には、特に大きな開口寸法が適した毛剃りの徹底性と、より小さな開口寸法によって改善され得るような皮膚への優しい扱いとの間の妥協点を最適化することが常に必要とされる。より広範囲な毛剃り用網刃開口では、網刃に対して皮膚が相対的に移動する際、内刃に対して皮膚が（部分的に）より密接に押し付けられ得る。この場合、内刃が毛の根本に向かってより近接して移動され得るので、毛剃りの徹底性が改善される。もちろん同時に、ユーザーの皮膚もまた内刃に対してより近接して移動されるので、皮膚が刺激されたり、最悪の場合は傷付けられたりする危険性はより高くなる。
【０００５】
開口パターンが規則的に配置されることは、開口どうしの間に残される格子の配列におけるバリエーションが非常に少なくなることに帰着する。これは当然、実際の毛の導入および切断のプロセスにとって、特に極めて重要なことである。一般に、移動する内刃のブレードとの関係において、平行に延びる格子の３つ乃至４つの好ましい方向が存在する。人間の皮膚上での毛の成長、特にあごひげの成長は、皮膚の表面上における個々の毛の分布との比較だけでなく、個々の毛相互の空間的配列に関する比較においても、非常に不規則である。従って、毛剃り用網刃の格子によってもたらされる配列の数が多くなるほど、内刃のブレードと格子との間で切断作用の生じる可能性が大きくなる。このような理由から、本発明は、異なる格子配列の数を増大させることも目的としている。
【課題を解決するための手段】
【０００６】
上述した本発明の目的を達成するために、冒頭で言及した形式の毛剃り用網刃を、穿孔領域がペンローズの寄せ木（Penrose parquets）によって達成される準周期的図形を形成するようにデザインすることを提案するものである。
【０００７】
このペンローズの寄せ木は、並進対称性、即ち周期性を持たない不規則図形への理論的研究を行ったロジャー・ペンローズ（Roger Penrose）にちなんで名付けられたものである（「Spektrum der Wissenschaft」、１９８６年１０月、第７４〜９３頁にて出版された、ダビッド・ネルソン（David Nelson）による論文「準結晶」も参照のこと）。
【０００８】
ペンローズの寄せ木の特別な性質は、全ての図形が繰り返し続けるが規則的ではない、ということである。従ってペンローズの図形は、特別な種類の非周期的な寄せ木である。このペンローズの図形は、寄せ木における下位図形（sub-pattern）のそれぞれが無限回数だけ再現されるが規則的な間隔では現れないので、準周期性としても言及される。ペンローズの寄せ木は、それによる周期的な寄せ木はあり得ないような、複数の表面セクション要素によって構成される。特にペンローズの寄せ木は、いわゆる５重対称性を示し、重なり合うことなくあらゆる寸法の領域を完全にカバーすると共に、少なくとも２つの異なる形式の表面セクション要素で構成される。
【０００９】
ペンローズの図形は、１つの特別に練られた計画によってのみ組み立てることができ、従って、無秩序な、或いは混沌とした図形とは明らかに異なっている。ペンローズの図形によって、無秩序な図形によるよりも極めて大きな、格子面積に対する開口面積の比率を達成することができる。
【００１０】
もちろん、互いに異なる幾何学的形状の開口を有する数個の穿孔領域で構成された毛剃り用網刃は、他にも、例えば独国特許出願公開第１５５３６６８号明細書により知られてるが、その個々の穿孔領域の開口パターンはそれ自体、周期的である。また、スロット形および／または円形ないし多角形−特に等辺多角形−の断面を有する開口を備えた開口パターンを伴うような毛剃り用網刃も知られている。
【００１１】
独国特許出願公開第１５５３６６８号明細書による毛剃り用網刃は、その格子が３つの異なる方向にしか延びていないような（準周期的ではなく）周期的に繰り返す開口パターンを示している。本発明の解決手段によって得られる毛剃り用網刃は、例えば５つの異なる格子配列を有する。
【００１２】
本発明による解決手段は、開口を取り囲む格子が、網刃の表面上で非常に多くの異なる配列を示すような毛剃り用網刃を提供する。これは、上述したような毛剃り特性に対して確固たる効果を有するだけでなく、異なる開口寸法にも拘わらず、連係する内刃上への網刃の非常に良好な（均一な）取付けを可能とする。これは、毛剃り用網刃を取り付ける際にアーチ状にしなければならない場合に特に当てはまる。これと対称的に、異なる開口寸法と規則的な開口パターンの毛剃り用網刃を取り付ける場合には、取付けの均一性について問題が生じる。そのような場合には、簡単に取り付けることが、連係する内刃上との網刃の密接な接触に不利に影響する局所的な歪みという結果をもたらすからである。
【００１３】
上述した毛剃り用網刃の格子は当然、いわゆる（開口／格子）比率、従って毛剃りシステムの効果性に対して決定的なものとなる。それゆえ、高効率の毛剃り用網刃にとっては（開口／格子）比率の大きいことが望ましい。従って、格子の幅は、できるだけ小さく、即ち製造上の理由および／または強度的要求に必要な限度において小さくなるべきである。このことは、その結果として、穿孔領域内の個々の格子が同じ幅で造られるべきである、ということを意味する。穿孔領域をペンローズの寄せ木によって構成することによって、同じ格子幅を用いて、穿孔領域内に無秩序に配置された開口によるものよりも遙かに良好な（開口／格子）比率を得ることが可能となる。
【００１４】
本発明の有利な局面によれば、少なくとも２つの異なる表面セクション要素を用いた完全寄せ木（complete parqueting）によって形成され、それらの表面セクション要素には少なくとも１つの開口が備えられているような穿孔領域を提供する。この実施形態は、異なる開口寸法および／または開口形状を満たすような可能性をもたらす。
【００１５】
本発明の他の局面は、少なくとも２つの異なる表面セクション群を用いた完全寄せ木によって形成され、各セクション群には少なくとも１つの開口が備えられ、各セクション群は少なくとも２つの表面セクション要素を備えているような穿孔領域を提供する。この実施形態もまた、異なる寸法および／または形状の開口を配置する多くのバリエーションに富んだ選択肢をもたらす。数個の表面セクション要素を組み合わせて表面セクション群を形成することで、異なる開口の可能な組合せの数が極めて多くなるのである。
【００１６】
切断すべき毛のための様々な寸法の貫通開口の存在が、例えば、最初の毛剃り動作で、より長い毛を剃ることを可能とする。その場合、毛は、大きな断面の開口に容易に入り込み、そこで切断されることができるのである。その後の毛剃り動作によって、今度は、予め短くされた毛やより短い毛（より大きな断面の開口内に導入はされたが、そこでは切断されなかったもの）が、より小さな断面の開口によって剃られる、ということが可能となる。
【００１７】
特に、完全寄せ木に対しては、表面セクション要素が菱形に形成されていることが適当である。この構成においては、菱形の鋭角は３６度および／または７２度であり、表面セクション要素は特に互いに等しい長さの縁を有しているのが有利である。これは、後述するように、菱形の角度が鋭角になるほど、角を丸める必要から網刃上の開口面積をより多く失ってしまうという事実を考慮しているのである。
【００１８】
本発明の毛剃り用網刃は、網刃と内刃との間の相対運動の如何にかかわらず、あらゆる毛剃り装置の駆動概念に適している。
【００１９】
本発明の他の目的、特徴、利点および適用可能性は、以下の実施形態の説明から明らかとなるであろう。そして、記述ないし図示される全ての特徴は、それ自体、或いは任意の組合せにおいて、それらが特許請求の範囲ないし後方参照（back reference）に要約されているか否かにかかわらず、本発明の主題を形成するものである。
【発明を実施するための最良の形態】
【００２０】
図１は、２つの毛剃り用網刃（外刃）２を担持する交換式フレーム１を示している。各毛剃り用網刃２は、複数の毛受入開口を備えた穿孔領域を有している。交換式フレーム１に結合されているのは、振動式に駆動されるように構成された内刃４を有する毛剃り器ヘッド３である。駆動機構自体は、より分かりやすくするために図面には示していないが、例えば、偏心モータによる偏心駆動として構成することができる。交換式フレーム１は、止め要素５によってヘッド３に係止することができる。交換式フレーム１は、例えば清掃や保守作業のために、解除ボタン６を作動させることで、ヘッド３から取り外し可能である。
【００２１】
内刃４は、それぞれ、互いに平行に配置された複数のブレードを有するブレード組立体として、公知の手法で形成される。
【００２２】
毛剃り用網刃２の開口を通じて外側から導入され押さえ付けられた毛は、毛剃りプロセスにおいて、振動する内刃４によって捕らえられ、開口を取り囲む格子（バー）上で剪断される。
【００２３】
図２は、ペンローズの寄せ木によって構成された穿孔領域を示している。同図の右側の部分Ａは、ペンローズによる２つの異なる開口要素を用いた寄せ木によって形成された穿孔領域を示している。この部分Ａは、洋凧形状の開口１０に加えて矢尻形状の開口１１を含んでいる。ここでは、洋凧形状の開口１０が、矢尻形状の開口１１よりも大きい表面積を有している。これらの開口１０，１１同士の間には、一定の幅の格子１２がある。洋凧形状の開口１０の鋭角は、矢尻形状の開口１１の鋭角と同様、７２度に等しい。
【００２４】
この穿孔領域に注目すると、個々の局所的図形が何度も繰り返し現れるが、規則的な間隔では現れない、ということが明らかとなる。それらの局所的図形の例は、例えば、十角形の開口群１３や五角形の開口群１４であって、その中で、洋凧形状の開口１０と矢尻形状の開口１１の鋭角が常に共通の中心を向いているような開口群１３，１４である。
【００２５】
図２の部分Ｂにおける穿孔領域は、第１に、個々の開口の角が丸められている点で、部分Ａにおける開口と異なっている。第２に、部分Ｂにおける穿孔領域は、３つの異なる開口によって形成されている。この構成においては、開口要素１６および１７が、部分Ａの洋凧形状の開口１０および矢尻形状の開口１１にそれぞれ対応しているが、これらの開口要素１６および１７は角が丸められている。第３の開口要素１８としては、３６度の鋭角と同様に丸められた角とを有する三角形の開口が設けられている。個々の開口同士の間に存在する網刃材料の格子の幅は、部分Ｂにおいても一定である。
【００２６】
図３は、個々の表面セクション要素２８，２９でそれぞれ構成された、３つの異なる表面セクション群２５、２６および２７を示している。２つの表面セクション要素２８，２９は、それぞれ縁の長さが等しい菱形であって、表面セクション要素２８の方の鋭角が７２度で、表面セクション要素２９の方の鋭角が３６度であるような菱形になっている。
【００２７】
第１の星形の表面セクション群２５は、５つの表面セクション要素２８で構成されている。それらの表面セクション要素２８は、第１の表面セクション群２５の中心における共通点に集まるような鋭角部を有している。木の葉形の第２の表面セクション群２６は、３つの表面セクション要素２８と１つの表面セクション要素２９とで構成されている。第１の表面セクション群２５と同様、第３つの表面セクション要素２８は各々の１つの先端が共通点に集まると共に、これと同じ点に表面セクション要素２９の鈍角の角が位置している。
【００２８】
六角形の第３の表面セクション群２７は、１つの表面セクション要素２８と２つの表面セクション要素２９とで構成されている。この構成においては、表面セクション要素２９の２つの鋭角は互いの共通点上に位置している。一方、表面セクション要素２８の鋭角は、表面セクション要素２９の２つの鈍角との共通点上に位置している。
【００２９】
繰り返すが、ここで述べた３つの表面セクション群２５、２６および２７を用いてペンローズの寄せ木が可能となる。これを毛剃り用網刃のための穿孔領域に帰着させるためには、改めて個々の表面セクション群に貫通開口が設けられる。
【００３０】
星形の第１の表面セクション群２５の各表面セクション要素２８は、それ自体に近似した菱形の輪郭の貫通開口３０を備えている。但し、貫通開口３０の角は丸められている。表面セクション要素２８の各辺と貫通開口３０の各辺とは互いに平行に延びている。貫通開口３０の面積は、表面セクション要素２８の面積の約５０％である。
【００３１】
木の葉形の第２の表面セクション群２６には、合計４つの開口が備えられている。３つの三角形の貫通開口３１は、表面セクション要素２８の外側に面する領域に設けられている。これらの三角形の貫通開口３１の角は同様に丸められている。貫通開口３１の開口面積は、貫通開口３０の面積の半分よりも幾分大きくなっている。表面セクション群２６における表面セクション要素２８の鋭角と表面セクション要素２９の鈍角との共通点の領域には、更に五角形の貫通開口３２が設けられている。この五角形の貫通開口３２も角が丸められている。
【００３２】
六角形の第３の表面セクション群２７には、２つのフード形の貫通開口３３が設けられている。これらの貫通開口３３は、先端が７２度の角度を有すると共に、底辺の縁が互いに平行に延びることで、２つの貫通開口３３同士の間に格子が残されている。貫通開口３３の角も同様に丸められている。
【００３３】
貫通開口３０〜３３の角を丸めることで、剃られるべき如何なる毛も、それらの角、特に９０度未満の角度の角のうちの１つには捕らえられない、ということが確保される。従って、丸められた角の半径は、毛の直径の半分よりも大きい。各貫通開口３０〜３３の縁は、それらが常に隣接する貫通開口の縁と平行に延びるように配置されている。互いに隣接する２つの貫通開口の縁同士の間の距離と、それら相互の配列状態とは、残された材料が一定の幅Ｓの格子を形成するように選択される。
【００３４】
図４は、図３の表面セクション群２５〜２７に含まれるような貫通開口３０〜３３が設けられた穿孔領域を有する毛剃り用網刃の全体像である。これは、様々な寸法および形状の開口を伴った完全なペンローズの寄せ木の印象的な描写である。それは又、貫通開口どうしの間に形成された格子の多数の配列を明瞭に示している。更に、開口パターンに注目すると、局所的な図形がしばしば再現されるが、それは不規則に現れるということが明らかとなる。この特性は、そのような図形に対して関心を引くような視覚的外観を与えるのにも寄与している。光沢のある金属箔材料で造られた毛剃り用網刃の場合、この視覚的な不規則性は、様々な向きの光線反射によって、独特の輝きという結果をもたらす。
【００３５】
図４に示した毛剃り用網刃においては、毛剃りに要する貫通開口３０〜３３を伴う穿孔領域の外側に、交換式フレーム１への毛剃り用網刃２の取付けのための追加的な切抜き部が設けられている。
【図面の簡単な説明】
【００３６】
【図１】毛剃り用ヘッドの基本デザインを示す図。
【図２】ペンローズの寄せ木からの一部分を示す図。
【図３】３つの異なる表面セクション群を示す図。
【図４】図３の表面セクション群を用いた寄せ木によって穿孔領域が形成された毛剃り用網刃を示す図。
【国際公開パンフレット】
2004537386.tif 000003
2004537386.tif 000004
2004537386.tif 000005
2004537386.tif 000006
2004537386.tif 000007
2004537386.tif 000008
2004537386.tif 000009
2004537386.tif 000010
2004537386.tif 000011
2004537386.tif 000012
2004537386.tif 000013
2004537386.tif 000014
2004537386.tif 000015
2004537386.tif 000016
2004537386.tif 000017
2004537386.tif 000018
【国際公開パンフレット（コレクトバージョン）】
2004537386.tif 000019
2004537386.tif 000020
【国際調査報告】
2004537386.tif 000021
2004537386.tif 000022
2004537386.tif 000023
2004537386.tif 000024
2004537386.tif 000025
2004537386.tif 000026